(57)【要約】【課題】  歩行機会が少ない人が椅子に座った状態で、身体のバランス感覚の訓練及び上肢、下肢の運動機能の維持と機能回復訓練、更に、足裏と背中のツボの刺激が効果的に行える椅子を提供する。【解決手段】腰掛部１の後方の下部左右にキャスター６付の後脚４、段差をつけた前方にキャスター６付の前脚５と固定連結柱１２、下面に嵌挿摺動軸１４を設け、上面後方に背もたれ板３が着脱でき固定肘掛９を設けた背もたれ２、上面前方に二分割し外側に手指握り部１１付の可動肘掛１０を設けた左右可動腰掛部７，８を左右の固定連結柱１２に軸着する。下部前方には可動腰掛部７，８と連動する左右足載せ板２１，２２を可動連結柱１３と連結し後方中央は固定連結柱１２に軸着し下面に側キャスター２７と前キャスター２８を取り付けると共に上面には左右足踏み板２５，２６を設ける。腰掛部１の下面の嵌挿摺動軸１４は回転受け台３１の調整支柱３３の嵌挿部Dに嵌挿したことを特徴とする機能回復訓練椅子。【選択図】図1
2007252678.tif 000002
【特許請求の範囲】
【請求項１】
腰掛部と背もたれに脚付の椅子において、前方を後方より低くして２段とした腰掛部の後方の下部左右に、左右と後方の下部が任意の広角となるキャスター付の後脚、前方中央に垂直でキャスター付の前脚、前方左右中間に固定連結柱、下面中央に嵌挿摺動軸を設ける。腰掛部の上面後方には任意の形状と数のピンを装着した背もたれ板が着脱でき固定肘掛を設けた背もたれと、腰掛部上面前方に、縦に二分割し上面の外側に手指握り部付の可動肘掛を設けた左右可動腰掛部を当接して左右の固定連結柱に腰掛部を通して軸着する。下部前方には可動腰掛部と連動する左右足載せ板を可動腰掛部前方外側と可動連結柱で連結し後方中央は左右の固定連結柱の下面に軸着して下面の前方と可動連結柱の下に位置する所にキャスターを取り付けると共に上面には任意の形状と数のピン付の左右足踏み板を軸に固着して軸受けで設ける。腰掛部下面の嵌挿摺動軸は回転受け台に固着した固定支柱と寸法調整具と連接した調整支柱の嵌挿部に嵌挿したことを特徴とする機能回復訓練椅子。
【請求項２】
左右の足載せ板をゴム又はスプリングの伸縮材で接合したことを特徴とする請求項１に記載の機能回復訓練椅子。
【請求項３】
左右の足載せ板と足踏み板をゴム又はスプリングの伸縮材で接合したことを特徴とする請求項１に記載の機能回復訓練椅子。
【請求項４】
主要部材に木材を使用したことを特徴とする請求項１に記載の機能回復訓練椅子。
【発明の詳細な説明】
【技術分野】
【０００１】
椅子に座った状態で上肢、下肢の機能回復訓練と足裏と背中のツボ刺激及びバランス感覚のトレーニングを360度の視野で行える機能回復訓練転椅子に関する。
【背景技術】
【０００２】
従来の座った状態での運動はモーター、油圧、空圧等より生じる回転、往復、遥動、刺激等を車椅子、座椅子、腰掛椅子等に用いて身体各部分の刺激と、体感，上肢、下肢、手、足等を半強制的な繰り返し動作で個々に行う受動的なものは数多く提案され実用化もなされている。
【０００３】
又、車椅子、座椅子、腰掛椅子等に軸、スプリング、ゴム、歯車，ペダル等を用いて回転、往復、遥動、刺激等の機能を設け身体各部分が能動的に運動できる主にトレーニング用としての椅子も数多く提案され実用化されている。
【特許文献１】特願２００４−５８２５５
【特許文献２】特願２００４−１８５９６１
【発明の開示】
【発明が解決しようとする課題】
【０００４】
解決しようとする問題点は寝たきりの人や高齢者、又リハビリ訓練者等筋力の弱った人が自分の体力に応じて無理なく上肢、下肢の運動及び通常一人で行えない足裏と背中の刺激とバランス感覚のトレーニングを自発的に日常生活の中で楽しみながら行えることにある。
【課題を解決するための手段】
【０００５】
腰掛部と背もたれに脚付の椅子において、前方を後方より低くして２段とした腰掛部の後方の下部左右に、左右と後方の下部が任意の広角となるキャスター付の後脚、前方中央に垂直でキャスター付の前脚、前方左右中間に固定連結柱、下面中央に嵌挿摺動軸を設ける。腰掛部の上面後方には任意の形状と数のピンを装着した背もたれ板が着脱でき固定肘掛を設けた背もたれと、腰掛部上面前方に、縦に二分割し上面の外側に手指握り部付の可動肘掛を設けた左右可動腰掛部を当接して左右の固定連結柱に腰掛部を通して軸着する。下部前方には可動腰掛部と連動する左右足載せ板を可動腰掛部前方外側と可動連結柱で連結し後方中央は左右の固定連結柱の下面に軸着して下面の前方と可動連結柱の下に位置する所にキャスターを取り付けると共に上面には任意の形状と数のピン付の左右足踏み板を
軸に固着して軸受けで設ける。腰掛部下面の嵌挿摺動軸は回転受け台に固着した固定支柱と寸法調整具と連接した調整支柱の嵌挿部に嵌挿してなる。
【発明の効果】
【０００６】
本発明の機能回復訓練椅子は、背もたれを有するキャスター付の後足２本と前脚１本の腰掛部の前方に当接した手指握り付の肘掛けを設けた左右の可動腰掛部が下部に設けた接地しない２箇所キャスター付で上面に足踏み板を設けた左右足載せ板と連動して左右に開閉する。従って、座った状態で肘掛前方の手指握りを持って両手足を開閉すれば股関節と両腕、両手指の運動となり、更に足載せ板に設けてあるピン付足踏み板を前後に動かすことにより足首の運動と足裏のツボを刺激すると共に背もたれのピンで背中のツボの刺激も行う。又、腰掛部下面の支軸と支柱は摺動するので支柱の高さ調整にて腰掛部３本の足のキャスターを接地面より離すことにより腰掛部が遥動状態となる。従って、座った状態で体重移動により平行及び前後左右の遥動でバランス感覚のトレーニングが行える。更に、腰掛部は支柱を中心として容易に回転するので、体重を後方に預けて２本の脚を接地させた状態で連動する可動腰掛部と足載せ板を左右に開いた後体重を前方の左右の足載せ板いずれかに預けて接地させて両手足を閉じれば腰掛部が接地した片側の足載せ板に向かって回転して正対する。この動作を繰り返して行えば腰掛部の遥動はバランス感覚及び運動神経のトレーニングとなり、両手足の開閉は股関節を中心とした上下肢の筋力維持及び機能回復トレーニングが行えると共に自力で３６０度の視野を得られるので気分転換となり楽しみながら訓練が行える。
【０００７】
椅子本体を支柱から取り外しての使用も遥動と回転が出来ないが足載せ板のキャスターは接地しないので両手足の開閉運動には問題なくキャスター付なので移動が容易にできる利点がある。
【０００８】
今後はますます高齢者が増加し、これに伴って適切な運動をしない為に次第に筋力が衰えてくる人に対しては筋力維持の運動が必須であり、又、現在運動機能が衰えている人に対しては機能回復訓練が必要である。又，足裏は第二の心臓と言われておりツボを刺激することにより血液の循環がよくなることはよく知られているが歩行機会が少ない人には最適である。更に、背中も的確なツボを刺激すれば胃,肺，肝臓，胆臓等に好影響があることは足裏に比べると認知度は低いが背もたれにピンがあれば掻痒症に一人で対応できると言う隠れた特徴があり着脱できるので使用者の要望に応じられる従来にない椅子となる。従って、本発明は日常生活の中で心身共に現状維持と機能回復トレーニングが行える椅子であり今後増加一方の医療費、介護保険費用の抑制に多いに貢献できると確信する。
【０００９】
股関節の開閉運動及び足首の運動時において筋力に応じて抵抗があった場合がいい時にはスプリング又はゴムの伸縮剤を用いて使用者の体力に応じて対応することが出来る。
【００１０】
椅子を構成する主要部材に環境と人に優しい天然木材を使用すれば加工が容易で資源の有効活用と設置場所にマッチした各種型式を提案することができるし、使用者がより意欲的に機能回復訓練に励むことが期待できる。
【発明を実施するための最良の形態】
【００１１】
表面の前が低い段差のある腰掛部の後方左右と前方中央下部にキャスター付の脚と裏面中央に嵌挿摺動軸、上部の後方に着脱できる背中ツボ刺激用突起付板が肘掛付の背もたれと前方部分に左右に二分割し表面に手握り付肘掛を設けた可動腰掛部を下部の足裏ツボ刺激足踏み板付足載せ板と連動して左右に開閉可能に当接と軸着し、可動腰掛部の下側の左右足載せ台には腰掛部の脚寸法より任意の短い寸法となるキャスターを足載せ台に取り付け、腰掛部下面嵌挿摺動軸を支持台の高さが調節出来る支柱に嵌挿する。
【実施例】
【００１２】
以下、本発明の実施例を図面に基づいて説明する。図１は、本発明に係わる機能回復訓練椅子の斜視図、図２は正面図、図３は平面図である。段差を有する腰掛部１の表面に背中ツボ用ピンAと背中用ピンBをセットした背もたれ板３が着脱でき固定肘掛９を有する背もたれ２、裏面後方左右に後脚４、前方中央に前脚５、左右に固定連結柱９、嵌挿摺動軸１４を設け、腰掛部１の前方に手指握り１１付の可動肘掛け１０を有する左右可動腰掛部７，８を面一に当接して固定連結柱１２に腰掛部１を通して軸着する。左右可動腰掛部７，８の前方外側下部に可動連結柱1３を設け、下面に足裏ツボ用ピンCをセットした左右の足踏み板２５，２６に固着した軸２４を軸受け２３に軸着した左右の足載せ板２１，２２を可動連結柱１３には連結、固定連結柱１２には軸着する。左右足載せ板２１，２２の下面には可動連結柱1３の下部延長面に側キャスター２７、前方中央に前キャスター２８を接地しない状態で取り付けた後、回転受け台３１の固定支柱３２、高さ調整具３３、調整支柱３２からなる支柱嵌挿穴Dへ嵌挿摺動軸１４を嵌挿する。
【００１３】
上記において支柱嵌挿穴Dへ嵌挿した嵌挿摺動軸１４は支柱調整具３４によって持ち上げれば前脚５、後脚４のキャスター６は浮いた状態となり接地させれば腰掛部１は傾斜状態となる。従って、上肢、下肢の運動は腰掛部１と左右可動腰掛部７，８に座り手指握り１１を持って体重を後方に傾けて後脚４を接地させた状態で左右腰掛け部７，８上の腿を開閉させると共に背中は背中ツボ用ピンA と背中用ピンBで足裏は足裏ツボ用ピンCでの刺激も行う。遥動と回転を要する場合には左右腰掛部７，８を開いた時に体重を可動連結柱１３の左右いずれかに預けて反対側の腿を閉じれば腰掛部１が回転して可動連結柱７，８いずれかに移動して正対する。従って、この動作を繰り返して行えば支柱嵌挿穴Dを中心に３６０度の回転することができるので身体のバランス感覚と股関節のトレーニング及び背中と足裏の刺激を同時に体を移動させながら行うことが出来る。
【００１４】
図４は足載せ板２１と２２を股関節用伸縮材Eで接合すると共に足載せ板２１，２２と足踏み板２５，２６を足首用伸縮材Fで接合した側面図である。股関節又は足首の運動で筋力強化の目的で抵抗が必要な場合には着脱と調整可能な股関節部用伸縮材Eと足首部伸縮材Fを作動する部分に取り付けることにより容易に対応ができる。
【図面の簡単な説明】
【００１５】
【図１】機能回復訓練椅子の斜視図である。
【図２】機能回復訓練椅子の正面図である。
【図３】機能回復訓練椅子の平面図である。
【図４】機能回復訓練椅子の側面図である。
【符号の説明】
【００１６】
１  腰掛部                        ２  背もたれ                  
３  背もたれ板                    ４  後脚
５  前脚                          ６  キャスター    
７  左可動腰掛部                  ８  右可動腰掛部            
９  固定肘掛け                  １０  可動肘掛け                
１１  手指握り                    １２  固定連結柱
１３  可動連結柱                  １４  嵌挿摺動軸
２１  左足載せ板                  ２２  右足載せ板
２３  軸受け                      ２４  軸
２５  左足踏み板                  ２６  右足踏み板」
３１  回転受け台                  ３２  固定支柱
３３  可動支柱                    ３４  高さ調整具
A  背中ツボ用ピン                 B  背中用ピン
C  足裏ツボ用ピン                 D  嵌挿部
D  股関節用伸縮材                 E  足首用伸縮材  
【図１】
2007252678.tif 000003
【図２】
2007252678.tif 000004
【図３】
2007252678.tif 000005
【図４】
2007252678.tif 000006